(57)【要約】【課題】省スペース化が可能であると共に、湾曲耐久性の向上が図れ、更に仕様変更等にも柔軟に対応することのできるワイヤハーネスの配索構造を提供すること。【解決手段】ワイヤハーネスが複数の電線束Ｗ１、Ｗ２に分割された上で、それぞれ別のコルゲートチューブＣ１、Ｃ２に振り分けて収容ケース１に収容され、その状態で、それぞれＵ字状に湾曲されている。各電線束が、Ｕ字状の湾曲部において、該湾曲部の曲げ半径方向に並べて配置され、湾曲性に優れる電線束が曲げ半径方向の内側に配置され、湾曲性に劣る電線束が曲げ半径方向の外側に配置されている。【選択図】図１
2008290596.tif 000002
【特許請求の範囲】
【請求項１】
固定側部材と、該固定側部材に対して略直線的にスライドする可動側部材との間にワイヤハーネスが配索され、該ワイヤハーネスがハーネス収容部に収容され、前記固定側部材に固定された前記ワイヤハーネスの固定端から、該ワイヤハーネスの可動端が前記可動側部材のスライド方向に沿った方向に伸びた後にＵ字状に折り返されて前記可動側部材のハーネス保持部に保持されており、前記可動側部材のスライド動作に伴って前記ワイヤハーネスに生じる余長が、前記Ｕ字状の湾曲部の位置の移動により吸収されるワイヤハーネスの配索構造であって、
前記ワイヤハーネスが複数の電線束に分割された上で、それぞれ別の筒状外装に振り分けて収容され、その状態で、それぞれＵ字状に湾曲されていることを特徴とするワイヤハーネスの配索構造。
【請求項２】
それぞれに前記筒状外装に収容された前記複数の電線束が、前記Ｕ字状の湾曲部において、該湾曲部の曲げ半径方向に並べて配置されていることを特徴とする請求項１に記載したワイヤハーネスの配索構造。
【請求項３】
それぞれに前記筒状外装に収容された前記複数の電線束のうち、湾曲性に優れる電線束を曲げ半径方向の内側に配置し、湾曲性に劣る電線束を曲げ半径方向の外側に配置したことを特徴とする請求項２に記載したワイヤハーネスの配索構造。
【請求項４】
それぞれに前記筒状外装に収容された前記複数の電線束が、前記Ｕ字状の湾曲部において、同一円周上に並べて配置されていることを特徴とする請求項１に記載したワイヤハーネスの配索構造。
【請求項５】
それぞれに前記筒状外装に収容された前記複数の電線束のうちの少なくとも２組の電線束の可動端が、前記固定端から互いに逆方向に伸びた後にそれぞれ逆向きにＵ字状に折り返されて前記可動側部材のハーネス保持部に保持されていることを特徴とする請求項１に記載したワイヤハーネスの配索構造。
【請求項６】
前記それぞれに筒状外装に収容された複数の電線束を２つのグループに分類し、その一方を標準装備用の電線束のグループとし、他方をオプション装備用の電線束のグループとしたことを特徴とする請求項１〜請求項５のいずれか一項に記載したワイヤハーネスの配索構造。
【請求項７】
前記筒状外装が、コルゲートチューブ、スパイラルチューブ、またはテープ巻付体のうちのいずれか１つであることを特徴とする請求項１〜請求項６のいずれか一項に記載したワイヤハーネスの配索構造。
【発明の詳細な説明】
【技術分野】
【０００１】
本発明は、固定側部材と該固定側部材に対して略直線的にスライドする可動側との間に配索されるワイヤハーネスの配索構造に関し、詳しくは、自動車等の車両において、車体と、該車体にスライド可能に組み付けられたスライドシートやスライドドアあるいはスライド式のコンソールボックスとに跨って配索されるワイヤハーネスの配索構造であって、スライドシートやスライドドア等のスライド動作に伴って生じるワイヤハーネスの余長を吸収することのできるワイヤハーネスの配索構造に関する。
【背景技術】
【０００２】
従来の配索装置の一例を図４に示す。図４に示す配索装置１００は、ワイヤハーネス１０１をＵ字状に折り返して収容するケース１０２と、ワイヤハーネス１０１の一端を保持したスライダ１０３と、ワイヤハーネス１０１に添えられたハーネス支持部材１０４とを備えている。ハーネス支持部材１０４は、スライダ１０３の移動方向と同方向にスライド移動自在にケース１０２に支持されている。そして、ハーネス支持部材１０４は、ワイヤハーネス１０１の折り返し部１０１ａに摺動自在に係合している一対のガイド板１０５，１０６およびスライダ１０３に保持された一端から折り返し部１０１ａまでのワイヤハーネス１０１の直線状の部位１０１ｂに添えられた支持板１０７を有している。
【０００３】
スライダ１０３は、シートやコンソールボックス等の移動体とともに移動され、ワイヤハーネス１０１を押し引きし、それに伴い、ワイヤハーネス１０１は、その折り返し部１０１ａを前後させるように変形する。ハーネス支持部材１０４は、一対のガイド板１０５、１０６の間を摺動するワイヤハーネス１０１の折り返し部１０１ａによりガイド板１０５、１０６を押圧されてワイヤハーネス１０１の変形に追従するように前後移動される。ワイヤハーネス１０１は、折り返し部１０１ａを前後させる変形の間も、ハーネス支持部材１０４によってＵ字状の形態に安定に支持されており、それにより、ケース１０２内でのワイヤハーネス１０１の座屈が防止されている（例えば、特許文献１参照）。
【０００４】
【特許文献１】特開２００６−７４９８０号公報
【発明の開示】
【発明が解決しようとする課題】
【０００５】
ところで、上記従来のワイヤハーネスの配索構造では、ワイヤハーネスを１本にまとめてコルゲートチューブ等の筒状外装に収容して配索しているため、特に電線本数が増えた場合に、ワイヤハーネスの径が太くなる上に、Ｕ字状に湾曲させる部分の曲げ半径を小さくできず、それだけスペース効率が悪くなって余長吸収機構部分の肥大化を招くという欠点があった。また、湾曲部の半径を小さくできないため、余裕の大きくない設計をすると湾曲耐久性を損なう可能性もあった。更に、全部の電線を１本に束ねてコルゲートチューブ等に収容するため、仕様変更等に伴って配索仕様を変える場合に柔軟な対応ができず、生産性や汎用性が劣るという欠点もあった。
【０００６】
本発明は、上述した事情に鑑みてなされたものであり、その目的は、省スペース化が可能であると共に、湾曲耐久性の向上が図れ、更に仕様変更等にも柔軟に対応することのできるワイヤハーネスの配索構造を提供することにある。
【課題を解決するための手段】
【０００７】
前述した目的を達成するために、本発明に係るワイヤハーネスの配索構造は、下記（１）〜（７）を特徴としている。
（１）  固定側部材と、該固定側部材に対して略直線的にスライドする可動側部材との間にワイヤハーネスが配索され、該ワイヤハーネスがハーネス収容部に収容され、前記固定側部材に固定された前記ワイヤハーネスの固定端から、該ワイヤハーネスの可動端が前記可動側部材のスライド方向に沿った方向に伸びた後にＵ字状に折り返されて前記可動側部材のハーネス保持部に保持されており、前記可動側部材のスライド動作に伴って前記ワイヤハーネスに生じる余長が、前記Ｕ字状の湾曲部の位置の移動により吸収されるワイヤハーネスの配索構造であって、
前記ワイヤハーネスが複数の電線束に分割された上で、それぞれ別の筒状外装に振り分けて収容され、その状態で、それぞれＵ字状に湾曲されていること。
（２）  上記（１）の構成のワイヤハーネスの配索構造において、
それぞれに前記筒状外装に収容された前記複数の電線束が、前記Ｕ字状の湾曲部において、該湾曲部の曲げ半径方向に並べて配置されていること。
（３）  上記（２）の構成のワイヤハーネスの配索構造において、
それぞれに前記筒状外装に収容された前記複数の電線束のうち、湾曲性に優れる電線束を曲げ半径方向の内側に配置し、湾曲性に劣る電線束を曲げ半径方向の外側に配置したこと。
（４）  上記（１）の構成のワイヤハーネスの配索構造において、
それぞれに前記筒状外装に収容された前記複数の電線束が、前記Ｕ字状の湾曲部において、同一円周上に並べて配置されていること。
（５）  上記（１）の構成のワイヤハーネスの配索構造において、
それぞれに前記筒状外装に収容された前記複数の電線束のうちの少なくとも２組の電線束の可動端が、前記固定端から互いに逆方向に伸びた後にそれぞれ逆向きにＵ字状に折り返されて前記可動側部材のハーネス保持部に保持されていること。
（６）  上記（１）〜（５）のいずれかの構成のワイヤハーネスの配索構造において、
前記それぞれに筒状外装に収容された複数の電線束を２つのグループに分類し、その一方を標準装備用の電線束のグループとし、他方をオプション装備用の電線束のグループとしたこと。
（７）  上記（１）〜（６）のいずれかの構成のワイヤハーネスの配索構造において、
前記筒状外装が、コルゲートチューブ、スパイラルチューブ、またはテープ巻付体のうちのいずれか１つであること。
【０００８】
上記（１）の構成のワイヤハーネスの配索構造によれば、ワイヤハーネスが複数の電線束に分割された上で、それぞれ別の筒状外装に振り分けて収容されているので、個々の筒状外装および電線束の径が小さくなることにより、分割する前と比べて、Ｕ字状の湾曲部の曲がり半径を小さくすることができる。また、小径の電線束に分けて並べることで、並び方向と直交する方向の占有寸法を小さくすることができ、従って省スペース化を図ることができる。また、Ｕ字状の湾曲部の曲がり半径に余裕を持たせた場合は、湾曲耐久性を延ばすことができて、信頼性を高めることができる。また、複数に分割した電線束を個別に筒状外装に収容するので、電線束ごとの付け替えや後付けも容易にできるようになり、生産性や汎用性の向上が図れる。
上記（２）の構成のワイヤハーネスの配索構造によれば、複数の電線束が、Ｕ字状の湾曲部において、該湾曲部の曲げ半径方向に並べて配置されているので、曲げ方向と直交する方向の占有スペースを小さくすることができる。
上記（３）の構成のワイヤハーネスの配索構造によれば、湾曲性に優れる電線束を曲げ半径方向の内側に配置し、湾曲性に劣る電線束を曲げ半径方向の外側に配置したので、ワイヤハーネスの湾曲耐久性を向上させながら、曲げ方向の占有スペースを小さくすることができる。
上記（４）の構成のワイヤハーネスの配索構造によれば、複数の電線束が、Ｕ字状の湾曲部において、同一円周上に並べて配置されているので、曲げ方向の占有スペースを小さくすることができる。
上記（５）の構成のワイヤハーネスの配索構造によれば、複数の電線束のうちの少なくとも２組の電線束の可動端が、固定端から互いに逆方向に伸びた後にそれぞれ逆向きにＵ字状に折り返されて可動側部材のハーネス保持部に保持されているので、曲げ方向の占有スペースを小さくすることができる。
上記（６）の構成のワイヤハーネスの配索構造によれば、ワイヤハーネスを標準装備用の電線束のグループとオプション装備用の電線束のグループに分類したので、仕様変更等によるオプション装備用の電線束の後付けが容易に行なえ、生産性や汎用性の向上が図れる。
上記（７）の構成のワイヤハーネスの配索構造によれば、筒状外装として、コルゲートチューブやスパイラルチューブやテープ巻付体を使用した場合の湾曲させにくさを緩めることができて、省スペース化に寄与することができる。
【発明の効果】
【０００９】
本発明によれば、スライド動作に伴うワイヤハーネスの余長吸収が可能な配索部分の省スペース化が図れると共に、ワイヤハーネスの湾曲耐久性の向上が図れ、更に仕様変更等にも柔軟に対応することができ、生産性および汎用性の向上が図れる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１（ａ）および（ｂ）は本発明の第１実施形態のワイヤハーネスの配索構造を示す図であって、図１（ａ）は矢印Ａ方向に可動側部材をスライドさせたときの状態を示す図、そして図１（ｂ）は矢印Ｂ方向に可動側部材をスライドさせたときの状態を示す図である。
【００１３】
図１（ａ）および（ｂ）において、Ｗはワイヤハーネスであり、このワイヤハーネスＷは、図示しない固定側部材と、該固定側部材に対して略直線的にスライドする図示しない可動側部材との間に配索され、固定側部材に設けられたハーネス収容ケース１（ハーネス収容部）に収容されている。このワイヤハーネスＷは、２本の電線束Ｗ１、Ｗ２に分割された上で、それぞれ別のコルゲートチューブ（筒状外装）Ｃ１、Ｃ２に振り分けて収容されて配索されている。
【００１４】
それぞれコルゲートチューブＣ１、Ｃ２に収容された電線束Ｗ１、Ｗ２は、固定側部材に固定された固定端Ｗ１ａ、Ｗ２ａから、可動端Ｗ１ｂ、Ｗ２ｂが可動側部材のスライド方向に沿った方向に伸びた後に、Ｕ字状に折り返されて可動側部材のスライダ（ハーネス保持部）１１、１２に保持されている。スライダ１１、１２は、ハーネス収容ケース１のガイド２に沿ってスライド可能とされたもので、可動側部材と一緒に移動する。各電線束Ｗ１、Ｗ２の固定端Ｗ１ａ、Ｗ２ａは、ハーネス収容ケース１の適当な箇所に設けた開口部３から外に引き出されている。
【００１５】
それぞれコルゲートチューブＣ１、Ｃ２に収容された２本の電線束Ｗ１、Ｗ２は、ワイヤハーネスＷのＵ字状の湾曲部（折り返し部）２０において、該湾曲部２０の曲げ半径方向にそれぞれの湾曲部Ｗ１ｃ、Ｗ２ｃを並べて配置されている。即ち、湾曲性に優れる電線束Ｗ１の湾曲部Ｗ１ｃが曲げ半径方向の内側に配置され、湾曲性に劣る電線束Ｗ２が湾曲部Ｗ２ｃが曲げ半径方向の外側に配置されている。ここで、湾曲性に優れる電線の例としては、細線や撚線を挙げることができる。また、湾曲性に劣る電線の例としては、太線や単線、あるいはシールド電線を挙げることができる。
【００１６】
次に作用を説明する。
可動側部材が矢印Ａ方向に移動すると、ワイヤハーネスＷの湾曲部２０が矢印Ａ方向に移動する。また、可動側部材が矢印Ｂ方向に移動すると、ワイヤハーネスＷの湾曲部２０が矢印Ｂ方向に移動する。そして、可動側部材のスライド動作に伴ってワイヤハーネスＷに生じる余長（余長部分）が、Ｕ字状の湾曲部２０の位置の移動により、吸収される（即ち、軽減される）。
【００１７】
この際、ワイヤハーネスＷが２本の電線束Ｗ１、Ｗ２に分割された上で、それぞれ別のコルゲートチューブＣ１、Ｃ２に振り分けて収容されて配索されているので、個々のコルゲートチューブＣ１、Ｃ２および電線束Ｗ１、Ｗ２の径が小さくなることにより、分割する前と比べて、Ｕ字状の湾曲部Ｗ１ｃ、Ｗ２ｃの曲がり半径を小さくすることができる。また、小径の電線束Ｗ１、Ｗ２に分けて並べることで、並び方向と直交する方向の占有寸法を小さくすることができる。
【００１８】
つまり、２本の電線束Ｗ１、Ｗ２が、ワイヤハーネスＷの湾曲部２０の曲げ半径方向に並べて配置されているので、曲げ方向と直交する方向の占有寸法Ｌ１を小さくすることができる。特に湾曲性に優れる電線束Ｗ１の湾曲部Ｗ１ｃを曲げ半径方向の内側に配置し、湾曲性に劣る電線束Ｗ２の湾曲部Ｗ２ｃを曲げ半径方向の外側に配置しているので、ワイヤハーネスＷの湾曲耐久性を向上させながら、曲げ方向の占有寸法Ｌ２を小さくすることができる。従って、余長吸収機構を構成するハーネス収容ケース１の肥大化を防止し省スペース化を図ることができる。
【００１９】
また、Ｕ字状の湾曲部Ｗ１ｃ、Ｗ２ｃの曲がり半径に余裕を持たせた場合は、各電線束Ｗ１、Ｗ２の湾曲耐久性を延ばすことができて、信頼性を高めることができる。また、複数に分割した電線束Ｗ１、Ｗ２を個別にコルゲートチューブＣ１、Ｃ２に収容しているので、電線束Ｗ１、Ｗ２ごとの付け替えや後付けも容易にできるようになり、生産性や汎用性の向上が図れる。
【００２０】
例えば、それぞれにコルゲートチューブＣ１、Ｃ２に収容された電線束Ｗ１、Ｗ２の一方を標準装備用の電線束とし、他方をオプション装備用の電線束とした場合、オプション用の電線束をコルゲートチューブごと後付けしたり付け替えたりすることができる。また、オプションを付けない場合は、電線束とコルゲートチューブを省略することもできる。
【００２１】
図２（ａ）および（ｂ）は本発明の第２実施形態のワイヤハーネスの配索構造を示す図であって、図２（ａ）は矢印Ａ方向に可動側部材をスライドさせたときの状態を示す図、そして図２（ｂ）は矢印Ｂ方向に可動側部材をスライドさせたときの状態を示す図である。
【００２２】
この実施形態においても、ワイヤハーネスＷは、図示しない固定側部材と可動側部材との間に配索され、固定側部材に設けられたハーネス収容ケース１Ｂ（ハーネス収容部）に収容されており、２本の電線束Ｗ１、Ｗ２に分割された上で、それぞれ別のコルゲートチューブ（筒状外装）Ｃ１、Ｃ２に振り分けて収容されて配索されている。
【００２３】
それぞれコルゲートチューブＣ１、Ｃ２に収容された電線束Ｗ１、Ｗ２は、固定側部材に固定された固定端Ｗ１ａ、Ｗ２ａから、可動端Ｗ１ｂ、Ｗ２ｂが可動側部材のスライド方向に沿った方向に伸びた後に、Ｕ字状に折り返されて可動側部材のスライダ（ハーネス保持部）１１、１２に保持されている。スライダ１１、１２は、ハーネス収容ケース１のガイド２に沿ってスライド可能とされたもので、可動側部材と一緒に移動する。各電線束Ｗ１、Ｗ２の固定端Ｗ１ａ、Ｗ２ａは、ハーネス収容ケース１の適当な箇所に設けた開口部３から外に引き出されている。
【００２４】
それぞれコルゲートチューブＣ１、Ｃ２に収容された２本の電線束Ｗ１、Ｗ２は、ワイヤハーネスＷのＵ字状の湾曲部（折り返し部）２０において、同一円周上にそれぞれの湾曲部Ｗ１ｃ、Ｗ２ｃを並べて配置されている。
【００２５】
次に作用を説明する。
可動側部材が矢印Ａ方向に移動すると、ワイヤハーネスＷの湾曲部２０が矢印Ａ方向に移動する。また、可動側部材が矢印Ｂ方向に移動すると、ワイヤハーネスＷの湾曲部２０が矢印Ｂ方向に移動する。そして、可動側部材のスライド動作に伴ってワイヤハーネスＷに生じる余長（余長部分）が、Ｕ字状の湾曲部２０の位置の移動により、吸収される（即ち、軽減される）。
【００２６】
この際、ワイヤハーネスＷが２本の電線束Ｗ１、Ｗ２に分割された上で、それぞれ別のコルゲートチューブＣ１、Ｃ２に振り分けて収容されて配索されているので、個々のコルゲートチューブＣ１、Ｃ２および電線束Ｗ１、Ｗ２の径が小さくなることにより、分割する前と比べて、Ｕ字状の湾曲部Ｗ１ｃ、Ｗ２ｃの曲がり半径を小さくすることができる。また、２本の電線束Ｗ１、Ｗ２が、ワイヤハーネスＷの湾曲部２０の同一円周上に並べて配置されているので、曲げ方向の占有寸法Ｌ３を小さくすることができる。従って、余長吸収機構を構成するハーネス収容ケース１の肥大化を防止し省スペース化を図ることができる。
【００２７】
また、Ｕ字状の湾曲部Ｗ１ｃ、Ｗ２ｃの曲がり半径に余裕を持たせた場合は、各電線束Ｗ１、Ｗ２の湾曲耐久性を延ばすことができて、信頼性を高めることができる。また、第１実施形態と同様に、複数に分割した電線束Ｗ１、Ｗ２を個別にコルゲートチューブＣ１、Ｃ２に収容しているので、電線束Ｗ１、Ｗ２ごとの付け替えや後付けも容易にできるようになり、生産性や汎用性の向上が図れる。
【００２８】
図３（ａ），（ｂ），（ｃ）は本発明の第３実施形態のワイヤハーネスの配索構造を示す図であって、図３（ａ）は矢印Ａ方向に可動側部材をスライドさせたときの状態を示す図、図３（ｂ）は中間位置にあるときの状態を示す図、そして図３（ｃ）は矢印Ｂ方向に可動側部材をスライドさせたときの状態を示す図である。
【００２９】
前記第２実施形態では、２本に分けた電線束Ｗ１、Ｗ２を同じ方向に並べて配索したが、第３実施形態の配索構造では、それぞれにコルゲートチューブＣ１、Ｃ２に収容された２本の電線束Ｗ１、Ｗ２の各可動端Ｗ１ｂ、Ｗ２ｂを、固定端Ｗ１ａ、Ｗ２ａから互いに逆方向に伸ばした後にそれぞれ逆向きにＵ字状に折り返して可動側部材のスライダ１１、１２に保持させている。そして、ワイヤハーネスＷをハーネス収容ケース１Ｃに収容している。その他、第２実施形態と同じ構成要素は、図中同一符号を付して説明を省略する。
【００３０】
この場合も、第２実施形態と同様に、ワイヤハーネスＷの曲げ方向の占有寸法Ｌ３を小さくすることができる。また、電線束Ｗ１、Ｗ２を重ねずに分散させているので、曲げ方向と直交する方向の占有寸法Ｌ４も小さくすることができる。
【００３１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３２】
例えば、上記実施形態では、筒状外装としてコルゲートチューブを使用した場合を示したが、筒状外装としてスパイラルチューブを使用してもよいし、テープ巻付体（テープを巻き付けた場合のテープ部分）を使用してもよい。
【００３３】
また、上記実施形態では、１本のワイヤハーネスＷを２本の電線束Ｗ１、Ｗ２に分割した場合を示したが、３本以上の複数に分割してもよい。
【図面の簡単な説明】
【００３４】
【図１】本発明の第１実施形態のワイヤハーネスの配索構造を示す図であって、（ａ）は矢印Ａ方向に可動側部材をスライドさせたときの状態を示す図、そして（ｂ）は矢印Ｂ方向に可動側部材をスライドさせたときの状態を示す図である。
【図２】本発明の第２実施形態のワイヤハーネスの配索構造を示す図であって、（ａ）は矢印Ａ方向に可動側部材をスライドさせたときの状態を示す図、そして（ｂ）は矢印Ｂ方向に可動側部材をスライドさせたときの状態を示す図である。
【図３】本発明の第３実施形態のワイヤハーネスの配索構造を示す図であって、（ａ）は矢印Ａ方向に可動側部材をスライドさせたときの状態を示す図、（ｂ）は中間位置にあるときの状態を示す図、そして（ｃ）は矢印Ｂ方向に可動側部材をスライドさせたときの状態を示す図である。
【図４】従来例の斜視図である。
【符号の説明】
【００３５】
１：ハーネス収容ケース（ハーネス収容部）
２０：湾曲部
Ｗ：ワイヤハーネス
Ｗ１，Ｗ２：電線束
Ｗ１ａ，Ｗ２ａ：固定端
Ｗ１ｂ，Ｗ２ｂ：可動端
Ｗ１ｃ，Ｗ２ｃ：湾曲部
【図１】
2008290596.tif 000003
【図２】
2008290596.tif 000004
【図３】
2008290596.tif 000005
【図４】
2008290596.tif 000006